【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
ブロードキャスト／通信システムにおける制御情報を送信する方法であって、
前記制御情報に含まれるレイヤー１（Ｌ１）シグナリング情報のビット数に基づいて該Ｌ１シグナリング情報が送信される符号化ブロックの個数を決定するステップと、
前記決定された符号化ブロックの個数が複数個である場合、各符号化ブロックの入力情報ビット数を計算するステップと、
前記送信される符号化ブロックのパンクチャーリングビット数を決定するステップと、
前記計算された入力情報のビット数を含み、前記決定されたパンクチャーリングビット数に基づいてパンクチャーリングされた前記決定された個数の符号化ブロックを生成するステップと、
前記生成された１つ又は複数の符号化ブロックを含むフレームを送信するステップと、
を有することを特徴とするブロードキャスト／通信システムにおける制御情報を送信する方法。
【請求項２】
各符号化ブロックは、同一の入力情報ビット数を有することを特徴とする請求項１に記載のブロードキャスト／通信システムにおける制御情報を送信する方法。
【請求項３】
前記符号化ブロックの個数を決定するステップは、
前記Ｌ１シグナリング情報のビット数をＢｏｓｅ、Ｃｈａｕｄｈｕｒｉ、及びＨｏｃｑｕｅｎｇｈｅｍ（ＢＣＨ）ブロックの最大入力ビット数で割った値に基づいて前記符号化ブロックの個数を決定するステップを有することを特徴とする請求項１に記載のブロードキャスト／通信システムにおける制御情報を送信する方法。
【請求項４】
各符号化ブロックの入力情報ビット数を計算するステップは、
前記Ｌ１シグナリング情報のビット数に１つ又は複数のパッディングビットを加えた値を求めるステップと、
前記求められた値を前記符号化ブロックの個数で割ることにより各符号化ブロックの入力情報ビット数を計算するステップと、を有することを特徴とする請求項１に記載のブロードキャスト／通信システムにおける制御情報を送信する方法。
【請求項５】
前記パンクチャーリングビット数を決定するステップは、
各符号化ブロックの臨時パンクチャーリングビット数及び臨時符号語ビット数を計算するステップと、
変調次数及び前記臨時符号語ビット数に基づいて各符号化ブロックの最終符号語ビット数を計算するステップと、
前記臨時パンクチャーリングビット数、前記臨時符号語ビット数、及び前記最終符号語ビット数に基づいて最終パンクチャーリングビット数を計算するステップと、を有することを特徴とする請求項１に記載のブロードキャスト／通信システムにおける制御情報を送信する方法。
【請求項６】
前記臨時パンクチャーリングビット数を計算するステップは、
ＢＣＨブロックの最大入力情報ビット数と各符号化ブロックの入力情報ビット数との差に基づいて臨時パンクチャーリングビット数を計算するステップを有することを特徴とする請求項５に記載のブロードキャスト／通信システムにおける制御情報を送信する方法。
【請求項７】
前記臨時符号語ビット数を計算するステップは、
各符号化ブロックの入力情報ビット数、ＢＣＨブロックのパリティビット数、前記臨時パンクチャーリングビット数、及び各符号化ブロックの有効符号化率に基づいて各符号化ブロックの前記臨時符号語ビット数を計算するステップを有することを特徴とする請求項５に記載のブロードキャスト／通信システムにおける制御情報を送信する方法。
【請求項８】
前記最終符号語ビット数を計算するステップは、
前記臨時符号語ビット数、Ｌ１シグナリング情報の送信のために使用されたシンボル数、及び前記変調次数に基づいて前記最終符号語ビット数を計算するステップを有することを特徴とする請求項５に記載のブロードキャスト／通信システムにおける制御情報を送信する方法。
【請求項９】
時間インターリービング技術が前記Ｌ１シグナリング情報の送信のために使用される場合、前記最終符号語ビット数は、時間インターリービングの深さを考慮して計算されることを特徴とする請求項５に記載のブロードキャスト／通信システムにおける制御情報を送信する方法。
【請求項１０】
前記符号化ブロックの個数は、以下の数式に従って決定されることを特徴とする請求項１に記載のブロードキャスト／通信システムにおける制御情報を送信する方法。
【数１】
2011514094.tif 000001
ここで、Ｎｐｏｓｔ＿ＦＥＣ＿Ｂｌｏｃｋｓは、前記符号化ブロックの個数を示し、Ｋｐｏｓｔ＿ｐｕｒｅは、前記Ｌ１シグナリング情報のビット数を示し、Ｋｂｃｈは、ＢＣＨブロックの最大入力ビット数を示し、
【数２】
2011514094.tif 000002
は、ｘより大きいか又は同一の最小整数を示す。
【請求項１１】
前記符号化ブロックの個数は、以下の数式に従って決定されることを特徴とする請求項１に記載のブロードキャスト／通信システムにおける制御情報を送信する方法。
【数３】
2011514094.tif 000003
ここで、Ｎｐｏｓｔ＿ＦＥＣ＿Ｂｌｏｃｋｓは、前記符号化ブロックの個数を示し、Ｋｐｏｓｔ＿ｐｕｒｅは、前記Ｌ１シグナリング情報のビット数を示し、Ｎｐｏｓｔ＿ｍａｘ＿ｐｅｒ＿ｓｙｍｂｏｌは、１つのＯＦＤＭシンボルで前記Ｌ１シグナリング情報を送信することができる最大ビット数を示し、
【数４】
2011514094.tif 000004
は、ｘより大きいか又は同一の最小整数を示す。
【請求項１２】
前記ＢＣＨブロックの最大入力ビット数は、Ｋｂｃｈ＝１６，２００×Ｒｅｆｆ−Ｎｂｃｈ＿ｐａｒｉｔｙの数式に従って決定され、ＬＤＰＣブロックが１６，２００ビットのサイズを有する符号化ブロックとして使用される場合、有効符号化率はＲｅｆｆで示し、前記ＢＣＨ符号で使用されたパリティビット数はＮｂｃｈ＿ｐａｒｉｔｙで示すことを特徴とする請求項３に記載のブロードキャスト／通信システムにおける制御情報を送信する方法。
【請求項１３】
前記臨時パンクチャーリングビット数は、以下の数式に従って決定されることを特徴とする請求項５に記載のブロードキャスト／通信システムにおける制御情報を送信する方法。
【数５】
2011514094.tif 000005
ここで、Ｎｐｕｎｃ＿ｔｅｍｐは、前記臨時パンクチャーリングビット数を示し、Ｋｂｃｈは、ＢＣＨブロックの最大入力情報ビット数を示し、Ｋｓｉｇは、前記Ｌ１シグナリング情報のビット数にパッディングビットを加えることにより得られたビット数を示し、
【数６】
2011514094.tif 000006
は、ｘより小さいか又は同一の最大整数を示す。
【請求項１４】
前記臨時符号語ビット数は、以下の数式に従って決定されることを特徴とする請求項５に記載のブロードキャスト／通信システムにおける制御情報を送信する方法。
【数７】
2011514094.tif 000007
ここで、Ｎｐｏｓｔ＿ｔｅｍｐは前記臨時符号語ビット数を示し、Ｋｓｉｇは各符号化ブロックの前記入力情報のビット数を示し、Ｎｂｃｈ＿ｐａｒｉｔｙはＢＣＨブロックのパリティビット数を示し、Ｒｅｆｆは各符号化ブロックの前記有効符号化率を示し、Ｎｐｕｎｃ＿ｔｅｍｐは前記臨時パンクチャーリングビット数を示す。
【請求項１５】
前記最終符号語ビット数は、以下の数式に従って計算されることを特徴とする請求項５に記載のブロードキャスト／通信システムにおける制御情報を送信する方法。
【数８】
2011514094.tif 000008
ここで、Ｎｐｏｓｔは、前記最終符号語ビット数を示し、Ｎｐｏｓｔ＿ｔｅｍｐは、前記臨時符号語ビット数を示し、ηＭＯＤは、前記変調次数を示し、ＮｆｉｘｅｄＰ２は、Ｌ１シグナリング情報Ｐ２の送信のために使用されるシンボル数を示し、
【数９】
2011514094.tif 000009
は、ｘより大きいか又は同一の最小整数を示す。
【請求項１６】
前記最終パンクチャーリングビット数は、Ｎｐｕｎｃ＝Ｎｐｕｎｃ＿ｔｅｍｐ−（Ｎｐｏｓｔ−Ｎｐｏｓｔ＿ｔｅｍｐ）の数式に従って計算されることを特徴とする請求項５に記載のブロードキャスト／通信システムにおける制御情報を送信する方法。
ここで、Ｎｐｕｎｃは、前記最終パンクチャーリングビット数を示し、Ｎｐｕｎｃ＿ｔｅｍｐは、前記臨時パンクチャーリングビット数を示し、Ｎｐｏｓｔは、前記最終符号語ビット数を示し、Ｎｐｏｓｔ＿ｔｅｍｐは、前記臨時符号語ビット数を示す。
【請求項１７】
前記最終符号語ビット数は、以下の数式に従って計算されることを特徴とする請求項５に記載のブロードキャスト／通信システムにおける制御情報を送信する方法。
【数１０】
2011514094.tif 000010
ここで、Ｎｐｏｓｔは、前記最終符号語ビット数を示し、Ｎｐｏｓｔ＿ｔｅｍｐは、前記臨時符号語ビット数を示し、ηＭＯＤは、前記変調次数を示し、Ｎｐｏｓｔ＿ＦＥＣ＿Ｂｌｏｃｋｓは、前記符号化ブロックの個数を示し、ＮＬ１＿ＴＩ＿ｄｅｐｔｈは、時間インターリービングの深さを示し、
【数１１】
2011514094.tif 000011
は、ｘより大きいか又は同一の最小整数を示す。
【請求項１８】
前記符号化ブロックの個数を決定するステップは、
前記Ｌ１シグナリング情報のビット数を１つのＯＦＤＭシンボルで前記Ｌ１シグナリング情報を運搬する最大ビット数で割ることにより取得された値に基づいて前記符号化ブロックの個数を決定するステップを有することを特徴とする請求項１に記載のブロードキャスト／通信システムにおける制御情報を送信する方法。
【請求項１９】
前記Ｌ１シグナリング情報に対して時間インターリービング技術が考慮され、
前記パンクチャーリングビット数を決定するステップは、
各符号化ブロックの臨時パンクチャーリングビット数及び臨時符号語ビット数を計算するステップと、
変調次数、時間インターリービングの深さ、及び前記臨時符号語ビット数に従って各符号化ブロックの最終符号語ビット数を計算するステップと、
前記臨時パンクチャーリングビット数、前記臨時符号語ビット数、及び前記最終符号語ビット数に従って最終パンクチャーリングビット数を計算するステップとをさらに有することを特徴とする請求項１に記載のブロードキャスト／通信システムにおける制御情報を送信する方法。
【請求項２０】
前記変調次数は、二位相偏移（ＢＰＳＫ）、四位相偏移（ＱＰＳＫ）、１６−アレイ直交振幅変調（１６−ＱＡＭ）、及び６４−ＱＡＭの変調方式に対応するようにそれぞれ１、２、４、及び６の値を有することを特徴とする請求項５、請求項８、請求項１５、請求項１７、及び請求項１９のいずれか１項に記載のブロードキャスト／通信システムにおける制御情報を送信する方法。
【請求項２１】
前記符号化ブロックは、ＬＤＰＣ符号を用いて符号化されることを特徴とする請求項１乃至請求項１９のいずれか１項に記載のブロードキャスト／通信システムにおける制御情報を送信する方法。
【請求項２２】
ブロードキャスト／通信システムにおける制御情報を送信する装置であって、
入力情報を符号化ブロックに符号化する符号化部と、
前記符号化ブロックを含むフレームを送信する送信部と、
前記制御情報に含まれるレイヤー１（Ｌ１）シグナリング情報のビット数に基づいて、該Ｌ１シグナリング情報が送信される符号化ブロックの個数を決定し、前記決定された符号化ブロックの個数が複数個である場合、各符号化ブロックの入力情報ビット数を計算し、前記送信される符号化ブロックのパンクチャーリングビット数を決定し、前記計算された入力情報のビット数を含み、前記決定されたパンクチャーリングビット数に基づいてパンクチャーリングされた前記決定された個数の符号化ブロックを生成するように前記符号化部の動作を制御し、前記生成された１つ又は複数の符号化ブロックを含むフレームを送信するように前記送信部の動作を制御する制御部と、を備えることを特徴とするブロードキャスト／通信システムにおける制御情報を送信する装置。
【請求項２３】
各符号化ブロックは、同一の入力情報ビット数を有することを特徴とする請求項２２に記載のブロードキャスト／通信システムにおける制御情報を送信する装置。
【請求項２４】
前記制御部は、前記Ｌ１シグナリング情報のビット数をＢｏｓｅ、Ｃｈａｕｄｈｕｒｉ、及びＨｏｃｑｕｅｎｇｈｅｍ（ＢＣＨ）符号でＢＣＨブロックの最大入力ビット数で割った値に基づいて前記符号化ブロックの個数を決定することを特徴とする請求項２２に記載のブロードキャスト／通信システムにおける制御情報を送信する装置。
【請求項２５】
前記制御部は、前記Ｌ１シグナリング情報のビット数に１つ又は複数のパッディングビットを加えることにより値を求め、前記求められた値を前記符号化ブロックの個数で割って入力情報ビット数を計算することにより各符号化ブロックの入力情報のビット数を計算するようにさらに構成されることを特徴とする請求項２２に記載のブロードキャスト／通信システムにおける制御情報を送信する装置。
【請求項２６】
前記制御部は、各符号化ブロックの臨時パンクチャーリングビット数及び臨時符号語ビット数を計算し、変調次数及び前記臨時符号語ビット数に従って各符号化ブロックの最終符号語ビット数を計算し、前記臨時パンクチャーリングビット数、前記臨時符号語ビット数、及び前記最終符号語ビット数に基づいて計算された最終パンクチャーリングビット数を前記パンクチャーリングビット数で決定するようにさらに構成されることを特徴とする請求項２２に記載のブロードキャスト／通信システムにおける制御情報を送信する装置。
【請求項２７】
前記制御部は、ＢＣＨブロックの入力情報の最大ビット数と各符号化ブロックの入力情報のビット数との差に基づいて前記臨時パンクチャーリングビット数を計算するようにさらに構成されることを特徴とする請求項２６に記載のブロードキャスト／通信システムにおける制御情報を送信する装置。
【請求項２８】
前記制御部は、各符号化ブロックの入力情報のビット数、ＢＣＨブロックのパリティビット数、前記臨時パンクチャーリングビット数、及び各符号化ブロックの有効符号化率に基づいて各符号化ブロックの前記臨時符号語ビット数を計算するようにさらに構成されることを特徴とする請求項２６に記載のブロードキャスト／通信システムにおける制御情報を送信する装置。
【請求項２９】
前記制御部は、前記変調次数、前記臨時符号語ビット数、及び前記Ｌ１シグナリング情報の送信のために使用されるシンボル数に基づいて前記最終符号語ビット数を計算するようにさらに構成されることを特徴とする請求項２６に記載のブロードキャスト／通信システムにおける制御情報を送信する装置。
【請求項３０】
時間インターリービング技術が前記Ｌ１シグナリング情報の送信のために使用される場合、前記最終符号語ビット数は、時間インターリービングの深さを考慮して計算されることを特徴とする請求項２６に記載のブロードキャスト／通信システムにおける制御情報を送信する装置。
【請求項３１】
前記符号化ブロックの個数は、以下の数式に従って決定されることを特徴とする請求項２２に記載のブロードキャスト／通信システムにおける制御情報を送信する装置。
【数１２】
2011514094.tif 000012
ここで、Ｎｐｏｓｔ＿ＦＥＣ＿Ｂｌｏｃｋｓは、前記符号化ブロックの個数を示し、Ｋｐｏｓｔ＿ｐｕｒｅは、前記Ｌ１シグナリング情報のビット数を示し、Ｋｂｃｈは、ＢＣＨブロックの最大入力ビット数を示し、
【数１３】
2011514094.tif 000013
は、ｘより大きいか又は同一の最小整数を示す。
【請求項３２】
前記符号化ブロックの個数は、以下の数式に従って決定されることを特徴とする請求項２２に記載の無線通信システムにおける制御情報を送信する装置。
【数１４】
2011514094.tif 000014
ここで、Ｎｐｏｓｔ＿ＦＥＣ＿Ｂｌｏｃｋｓは、前記符号化ブロックの個数を示し、Ｋｐｏｓｔ＿ｐｕｒｅは、前記Ｌ１シグナリング情報のビット数を示し、Ｎｐｏｓｔ＿ｍａｘ＿ｐｅｒ＿ｓｙｍｂｏｌは、１つのＯＦＤＭシンボルで前記Ｌ１シグナリング情報を送信することができる最大ビット数を示し、
【数１５】
2011514094.tif 000015
は、ｘより大きいか又は同一の最小整数を示す。
【請求項３３】
前記ＢＣＨブロックの最大入力ビット数は、Ｋｂｃｈ＝１６，２００×Ｒｅｆｆ−Ｎｂｃｈ＿ｐａｒｉｔｙの数式に従って決定され、ＬＤＰＣブロックが１６，２００ビットのサイズを有する符号化ブロックとして使用される場合、有効符号化率はＲｅｆｆで示し、前記ＢＣＨ符号で使用されたパリティビット数はＮｂｃｈ＿ｐａｒｉｔｙで示すことを特徴とする請求項２４に記載のブロードキャスト／通信システムにおける制御情報を送信する装置。
【請求項３４】
前記臨時パンクチャーリングビット数は、以下の数式に従って決定されることを特徴とする請求項２６に記載のブロードキャスト／通信システムにおける制御情報を送信する装置。
【数１６】
2011514094.tif 000016
ここで、Ｎｐｕｎｃ＿ｔｅｍｐは、前記臨時パンクチャーリングビット数を示し、Ｋｂｃｈは、ＢＣＨブロックの最大入力情報ビット数を示し、Ｋｓｉｇは、前記Ｌ１シグナリング情報のビット数にパッディングビットを加えることにより得られたビット数を示し、
【数１７】
2011514094.tif 000017
は、ｘより小さいか又は同一の最大整数を示す。
【請求項３５】
前記臨時符号語ビット数は、以下の数式に従って決定されることを特徴とする請求項２６に記載のブロードキャスト／通信システムにおける制御情報を送信する装置。
【数１８】
2011514094.tif 000018
ここで、Ｎｐｏｓｔ＿ｔｅｍｐは前記臨時符号語ビット数を示し、Ｋｓｉｇは各符号化ブロックの前記入力情報のビット数を示し、Ｎｂｃｈ＿ｐａｒｉｔｙは前記ＢＣＨブロックの前記パリティビット数を示し、Ｒｅｆｆは各符号化ブロックの前記有効符号化率を示し、Ｎｐｕｎｃ＿ｔｅｍｐは前記臨時パンクチャーリングビット数を示す。
【請求項３６】
前記最終符号語ビット数は、以下の数式に従って計算されることを特徴とする請求項２６に記載のブロードキャスト／通信システムにおける制御情報を送信する装置。
【数１９】
2011514094.tif 000019
ここで、Ｎｐｏｓｔは、前記最終符号語ビット数を示し、Ｎｐｏｓｔ＿ｔｅｍｐは、前記臨時符号語ビット数を示し、ηＭＯＤは、前記変調次数を示し、ＮｆｉｘｅｄＰ２は、Ｌ１シグナリング情報Ｐ２の送信のために使用されるシンボル数を示し、
【数２０】
2011514094.tif 000020
は、ｘより大きいか又は同一の最小整数を示す。
【請求項３７】
前記最終パンクチャーリングビット数は、Ｎｐｕｎｃ＝Ｎｐｕｎｃ＿ｔｅｍｐ−（Ｎｐｏｓｔ−Ｎｐｏｓｔ＿ｔｅｍｐ）の数式に従って計算されることを特徴とする請求項２６に記載のブロードキャスト／通信システムにおける制御情報を送信する装置。
ここで、Ｎｐｕｎｃは、前記最終パンクチャーリングビット数を示し、Ｎｐｕｎｃ＿ｔｅｍｐは、前記臨時パンクチャーリングビット数を示し、Ｎｐｏｓｔは、前記最終符号語ビット数を示し、Ｎｐｏｓｔ＿ｔｅｍｐは、前記臨時符号語ビット数を示す。
【請求項３８】
前記最終符号語ビット数は、以下の数式に従って計算されることを特徴とする請求項２６に記載のブロードキャスト／通信システムにおける制御情報を送信する装置。
【数２１】
2011514094.tif 000021
ここで、Ｎｐｏｓｔは、前記最終符号語ビット数を示し、Ｎｐｏｓｔ＿ｔｅｍｐは、前記臨時符号語ビット数を示し、ηＭＯＤは、前記変調次数を示し、Ｎｐｏｓｔ＿ＦＥＣ＿Ｂｌｏｃｋｓは、前記符号化ブロックの個数を示し、ＮＬ１＿ＴＩ＿ｄｅｐｔｈは、時間インターリービングの深さを示し、
【数２２】
2011514094.tif 000022
は、ｘより大きいか又は同一の最小整数を示す。
【請求項３９】
前記変調次数は、二位相偏移（ＢＰＳＫ）、四位相偏移（ＱＰＳＫ）、１６−アレイ直交振幅変調（１６−ＱＡＭ）、及び６４−ＱＡＭの変調方式に対応するようにそれぞれ１、２、４、及び６の値を有することを特徴とする請求項２６、請求項２９、請求項３６、及び請求項３８のいずれか１項に記載のブロードキャスト／通信システムにおける制御情報を送信する装置。
【請求項４０】
前記符号化ブロックは、ＬＤＰＣ符号を用いて符号化されることを特徴とする請求項２２乃至請求項３８のいずれか１項に記載のブロードキャスト／通信システムにおける制御情報を送信する装置。
【請求項４１】
ブロードキャスト／通信システムにおける制御情報を受信する方法であって、
レイヤー１（Ｌ１）シグナリング情報のビット数に関する情報を取得するステップと、
前記Ｌ１シグナリング情報から分割された符号化ブロックの個数を計算するステップと、
各符号化ブロックの入力情報ビット数を計算し、各符号化ブロックのパリティビットの中でパンクチャーリングビット数を計算するステップと、
前記ステップでの取得及び計算がなされた情報に基づいて前記受信したフレームで１つ又は複数の符号化ブロックを復号化するステップと、を有することを特徴とするブロードキャスト／通信システムにおける制御情報を受信する方法。
【請求項４２】
各符号化ブロックは、同一の入力情報ビット数を有することを特徴とする請求項４１に記載のブロードキャスト／通信システムにおける制御情報を受信する方法。
【請求項４３】
前記Ｌ１シグナリング情報のビット数は、パッディングビット数を情報ビット数に加えることにより定義されることを特徴とする請求項４１に記載のブロードキャスト／通信システムにおける制御情報を受信する方法。
【請求項４４】
前記Ｌ１シグナリング情報から分割された符号化ブロックの個数は、
前記Ｌ１シグナリング情報のビット数をＢｏｓｅ、Ｃｈａｕｄｈｕｒｉ、及びＨｏｃｑｕｅｎｇｈｅｍ（ＢＣＨ）ブロックの最大入力ビット数で割った値に基づいて計算されることを特徴とする請求項４３に記載のブロードキャスト／通信システムにおける制御情報を受信する方法。
【請求項４５】
各符号化ブロックの入力情報ビット数は、前記Ｌ１シグナリング情報のビット数を前記分割された符号化ブロックの個数で割った値に基づいて計算されることを特徴とする請求項４３に記載のブロードキャスト／通信システムにおける制御情報を受信する方法。
【請求項４６】
前記パリティビットの中でパンクチャーリングビット数を計算するステップは、
各符号化ブロックの臨時パンクチャーリングビット数及び臨時符号語ビット数を計算するステップと、
変調次数及び前記臨時符号語ビット数に従って各符号化ブロックの最終符号語ビット数を計算するステップと、
前記臨時パンクチャーリングビット数、前記臨時符号語ビット数、及び前記最終符号語ビット数に従って最終パンクチャーリングビット数を計算するステップと、を更に有することを特徴とする請求項４１に記載のブロードキャスト／通信システムにおける制御情報を受信する方法。
【請求項４７】
前記臨時パンクチャーリングビット数を計算するステップは、
ＢＣＨブロックの入力情報の最大ビット数と各符号化ブロックの入力情報のビット数との差に基づいて前記臨時パンクチャーリングビット数を計算するステップを更に有することを特徴とする請求項４６に記載のブロードキャスト／通信システムにおける制御情報を受信する方法。
【請求項４８】
前記臨時符号語ビット数を計算するステップは、
各符号化ブロックの入力情報のビット数、ＢＣＨブロックのパリティビット数、前記臨時パンクチャーリングビット数、及び各符号化ブロックの有効符号化率に基づいて各符号化ブロックの前記臨時符号語ビット数を計算するステップを更に有することを特徴とする請求項４６に記載のブロードキャスト／通信システムにおける制御情報を受信する方法。
【請求項４９】
前記最終符号語ビット数を計算するステップは、
前記変調次数、前記臨時符号語ビット数、及び前記Ｌ１シグナリング情報の送信のために使用されるシンボル数に基づいて前記最終符号語ビット数を計算するステップを更に有することを特徴とする請求項４６に記載のブロードキャスト／通信システムにおける制御情報を受信する方法。
【請求項５０】
時間インターリービング技術が前記Ｌ１シグナリング情報の送信のために使用される場合、前記最終符号語ビット数は、時間インターリービングの深さを考慮して計算されることを特徴とする請求項４６に記載のブロードキャスト／通信システムにおける制御情報を受信する方法。
【請求項５１】
前記符号化ブロックの個数は、以下の数式に従って決定されることを特徴とする請求項４１に記載のブロードキャスト／通信システムにおける制御情報を受信する方法。
【数２３】
2011514094.tif 000023
ここで、Ｎｐｏｓｔ＿ＦＥＣ＿Ｂｌｏｃｋｓは、前記符号化ブロックの個数を示し、Ｋｐｏｓｔ＿ｐｕｒｅは、前記Ｌ１シグナリング情報のビット数を示し、Ｋｂｃｈは、ＢＣＨブロックの最大入力ビット数を示し、
【数２４】
2011514094.tif 000024
は、ｘより大きいか又は同一の最小整数を示す。
【請求項５２】
前記符号化ブロックの個数は、以下の数式に従って決定されることを特徴とする請求項４１に記載のブロードキャスト／通信システムにおける制御情報を受信する方法。
【数２５】
2011514094.tif 000025
ここで、Ｎｐｏｓｔ＿ＦＥＣ＿Ｂｌｏｃｋｓは、前記符号化ブロックの個数を示し、Ｋｐｏｓｔ＿ｐｕｒｅは、前記Ｌ１シグナリング情報のビット数を示し、Ｎｐｏｓｔ＿ｍａｘ＿ｐｅｒ＿ｓｙｍｂｏｌは、１つのＯＦＤＭシンボルで前記Ｌ１シグナリング情報を送信することができる最大ビット数を示し、
【数２６】
2011514094.tif 000026
は、ｘより大きいか又は同一の最小整数を示す。
【請求項５３】
前記ＢＣＨブロックの最大入力ビット数は、Ｋｂｃｈ＝１６，２００×Ｒｅｆｆ−Ｎｂｃｈ＿ｐａｒｉｔｙの数式に従って決定され、ＬＤＰＣブロックが１６，２００ビットのサイズを有する符号化ブロックとして使用される場合、有効符号化率はＲｅｆｆで示し、前記ＢＣＨ符号で使用されたパリティビット数はＮｂｃｈ＿ｐａｒｉｔｙで示すことを特徴とする請求項４４に記載のブロードキャスト／通信システムにおける制御情報を受信する方法。
【請求項５４】
前記臨時パンクチャーリングビット数は、以下の数式に従って決定されることを特徴とする請求項４６に記載のブロードキャスト／通信システムにおける制御情報を受信する方法。
【数２７】
2011514094.tif 000027
ここで、Ｎｐｕｎｃ＿ｔｅｍｐは、前記臨時パンクチャーリングビット数を示し、Ｋｂｃｈは、ＢＣＨブロックの最大入力情報ビット数を示し、Ｋｓｉｇは、前記Ｌ１シグナリング情報のビット数にパッディングビットを加えることにより得られたビット数を示し、
【数２８】
2011514094.tif 000028
は、ｘより小さいか又は同一の最大整数を示す。
【請求項５５】
前記臨時符号語ビット数は、以下の数式に従って決定されることを特徴とする請求項４６に記載のブロードキャスト／通信システムにおける制御情報を受信する方法。
【数２９】
2011514094.tif 000029
ここで、Ｎｐｏｓｔ＿ｔｅｍｐは前記臨時符号語ビット数を示し、Ｋｓｉｇは各符号化ブロックの前記入力情報のビット数を示し、Ｎｂｃｈ＿ｐａｒｉｔｙは前記ＢＣＨブロックの前記パリティビット数を示し、Ｒｅｆｆは各符号化ブロックの前記有効符号化率を示し、Ｎｐｕｎｃ＿ｔｅｍｐは前記臨時パンクチャーリングビット数を示す。
【請求項５６】
前記最終符号語ビット数は、以下の数式に従って計算されることを特徴とする請求項４６に記載のブロードキャスト／通信システムにおける制御情報を受信する方法。
【数３０】
2011514094.tif 000030
ここで、Ｎｐｏｓｔは、前記最終符号語ビット数を示し、Ｎｐｏｓｔ＿ｔｅｍｐは、前記臨時符号語ビット数を示し、ηＭＯＤは、前記変調次数を示し、ＮｆｉｘｅｄＰ２は、Ｌ１シグナリング情報Ｐ２の送信のために使用されるシンボル数を示し、
【数３１】
2011514094.tif 000031
は、ｘより大きいか又は同一の最小整数を示す。
【請求項５７】
前記最終パンクチャーリングビット数は、Ｎｐｕｎｃ＝Ｎｐｕｎｃ＿ｔｅｍｐ−（Ｎｐｏｓｔ−Ｎｐｏｓｔ＿ｔｅｍｐ）の数式に従って計算されることを特徴とする請求項４６に記載のブロードキャスト／通信システムにおける制御情報を受信する方法。
ここで、Ｎｐｕｎｃは、前記最終パンクチャーリングビット数を示し、Ｎｐｕｎｃ＿ｔｅｍｐは、前記臨時パンクチャーリングビット数を示し、Ｎｐｏｓｔは、前記最終符号語ビット数を示し、Ｎｐｏｓｔ＿ｔｅｍｐは、前記臨時符号語ビット数を示す。
【請求項５８】
前記最終符号語ビット数は、以下の数式に従って計算されることを特徴とする請求項４６に記載のブロードキャスト／通信システムにおける制御情報を受信する方法。
【数３２】
2011514094.tif 000032
ここで、Ｎｐｏｓｔは、前記最終符号語ビット数を示し、Ｎｐｏｓｔ＿ｔｅｍｐは、前記臨時符号語ビット数を示し、ηＭＯＤは、前記変調次数を示し、Ｎｐｏｓｔ＿ＦＥＣ＿Ｂｌｏｃｋｓは、前記符号化ブロックの個数を示し、ＮＬ１＿ＴＩ＿ｄｅｐｔｈは、時間インターリービングの深さを示し、
【数３３】
2011514094.tif 000033
は、ｘより大きいか又は同一の最小整数を示す。
【請求項５９】
前記符号化ブロックの個数は、前記Ｌ１シグナリング情報のビット数を１つのＯＦＤＭシンボルで前記Ｌ１シグナリング情報を運搬する最大ビット数で割ることにより取得された値に基づいて計算されることを特徴とする請求項４１に記載のブロードキャスト／通信システムにおける制御情報を受信する方法。
【請求項６０】
前記Ｌ１シグナリング情報に対して時間インターリービング技術が考慮され、
前記パンクチャーリングビット数を決定するステップは、
各符号化ブロックの臨時パンクチャーリングビット数及び臨時符号語ビット数を計算するステップと、
変調次数、時間インターリービングの深さ、及び前記臨時符号語ビット数に従って各符号化ブロックの最終符号語ビット数を計算するステップと、
前記臨時パンクチャーリングビット数、前記臨時符号語ビット数、及び前記最終符号語ビット数に従って最終パンクチャーリングビット数を計算するステップとをさらに有することを特徴とする請求項４１に記載のブロードキャスト／通信システムにおける制御情報を受信する方法。
【請求項６１】
前記変調次数は、二位相偏移（ＢＰＳＫ）、四位相偏移（ＱＰＳＫ）、１６−アレイ直交振幅変調（１６−ＱＡＭ）、及び６４−ＱＡＭの変調方式に対応するようにそれぞれ１、２、４、及び６の値を有することを特徴とする請求項４６、請求項４９、請求項５６、請求項５８、及び請求項６０のいずれか１項に記載のブロードキャスト／通信システムにおける制御情報を受信する方法。
【請求項６２】
前記符号化ブロックは、ＬＤＰＣ符号を用いて符号化されることを特徴とする請求項４１乃至請求項６０のいずれか１項に記載のブロードキャスト／通信システムにおける制御情報を受信する方法。
【請求項６３】
ブロードキャスト／通信システムにおける制御情報を受信する装置であって、
レイヤー１（Ｌ１）シグナリング情報を含む制御情報の受信及び復号化を行う受信部と、
受信したフレームからレイヤー１（Ｌ１）シグナリング情報のビット数に関する情報を取得し、前記Ｌ１シグナリング情報から分割された符号化ブロックの個数を計算し、各符号化ブロックの入力情報ビット数を計算し、各符号化ブロックのパリティビットのパンクチャーリングビット数を計算し、前記ステップでの取得及び計算がなされた情報に基づいて前記受信した１つ又は複数の符号化ブロックを復号化するように前記受信部の動作を制御する制御部と、を備えることを特徴とするブロードキャスト／通信システムにおける制御情報を受信する装置。
【請求項６４】
各符号化ブロックは、同一の入力情報ビット数を有することを特徴とする請求項６３に記載のブロードキャスト／通信システムにおける制御情報を受信する装置。
【請求項６５】
前記Ｌ１シグナリング情報のビット数は、パッディングビット数を情報ビット数に加えることにより定義されることを特徴とする請求項６３に記載のブロードキャスト／通信システムにおける制御情報を受信する装置。
【請求項６６】
前記制御部は、前記Ｌ１シグナリング情報のビット数をＢｏｓｅ、Ｃｈａｕｄｈｕｒｉ、及びＨｏｃｑｕｅｎｇｈｅｍ（ＢＣＨ）符号でＢＣＨブロックの最大入力ビット数で割った値に基づいて前記Ｌ１シグナリング情報から分割された符号化ブロックの個数を計算することを特徴とする請求項６５に記載のブロードキャスト／通信システムにおける制御情報を受信する装置。
【請求項６７】
前記制御部は、前記Ｌ１シグナリング情報のビット数を前記分割された符号化ブロックの個数で割った値に基づいて前記各符号化ブロックの入力情報ビット数を計算することを特徴とする請求項６５に記載のブロードキャスト／通信システムにおける制御情報を受信する装置。
【請求項６８】
前記制御部は、各符号化ブロックの臨時パンクチャーリングビット数及び臨時符号語ビット数を計算し、変調次数及び前記臨時符号語ビット数に従って各符号化ブロックの最終符号語ビット数を計算し、前記臨時パンクチャーリングビット数、前記臨時符号語ビット数、及び前記最終符号語ビット数に基づいて計算された最終パンクチャーリングビット数を前記パリティビットのパンクチャーリングビット数で決定するようにさらに構成されることを特徴とする請求項６３に記載のブロードキャスト／通信システムにおける制御情報を受信する装置。
【請求項６９】
前記制御部は、ＢＣＨブロックの入力情報の最大ビット数と各符号化ブロックの入力情報のビット数との差に基づいて前記臨時パンクチャーリングビット数を計算するようにさらに構成されることを特徴とする請求項６８に記載のブロードキャスト／通信システムにおける制御情報を受信する装置。
【請求項７０】
前記制御部は、各符号化ブロックの入力情報のビット数、ＢＣＨブロックのパリティビット数、前記臨時パンクチャーリングビット数、及び各符号化ブロックの有効符号化率に基づいて各符号化ブロックの前記臨時符号語ビット数を計算するようにさらに構成されることを特徴とする請求項６８に記載のブロードキャスト／通信システムにおける制御情報を受信する装置。
【請求項７１】
前記制御部は、前記変調次数、前記臨時符号語ビット数、及び前記Ｌ１シグナリング情報の送信のために使用されるシンボル数に基づいて前記最終符号語ビット数を計算するようにさらに構成されることを特徴とする請求項６８に記載のブロードキャスト／通信システムにおける制御情報を受信する装置。
【請求項７２】
時間インターリービング技術が前記Ｌ１シグナリング情報の送信のために使用される場合、前記最終符号語ビット数は、時間インターリービングの深さを考慮して計算されることを特徴とする請求項６８に記載のブロードキャスト／通信システムにおける制御情報を受信する装置。
【請求項７３】
前記符号化ブロックの個数は、以下の数式に従って決定されることを特徴とする請求項６３に記載のブロードキャスト／通信システムにおける制御情報を受信する装置。
【数３４】
2011514094.tif 000034
ここで、Ｎｐｏｓｔ＿ＦＥＣ＿Ｂｌｏｃｋｓは、前記符号化ブロックの個数を示し、Ｋｐｏｓｔ＿ｐｕｒｅは、前記Ｌ１シグナリング情報のビット数を示し、Ｋｂｃｈは、ＢＣＨブロックの最大入力ビット数を示し、
【数３５】
2011514094.tif 000035
は、ｘより大きいか又は同一の整数の中の最小整数値を示す。
【請求項７４】
前記符号化ブロックの個数は、以下の数式に従って決定されることを特徴とする請求項６３に記載のブロードキャスト／通信システムにおける制御情報を受信する装置。
【数３６】
2011514094.tif 000036
ここで、Ｎｐｏｓｔ＿ＦＥＣ＿Ｂｌｏｃｋｓは、前記符号化ブロックの個数を示し、Ｋｐｏｓｔ＿ｐｕｒｅは、前記Ｌ１シグナリング情報のビット数を示し、Ｎｐｏｓｔ＿ｍａｘ＿ｐｅｒ＿ｓｙｍｂｏｌは、１つのＯＦＤＭシンボルで前記Ｌ１シグナリング情報を送信することができる最大ビット数を示し、
【数３７】
2011514094.tif 000037
は、ｘより大きいか又は同一の最小整数を示す。
【請求項７５】
前記ＢＣＨブロックの最大入力ビット数は、Ｋｂｃｈ＝１６，２００×Ｒｅｆｆ−Ｎｂｃｈ＿ｐａｒｉｔｙの数式に従って決定され、ＬＤＰＣブロックが１６，２００ビットのサイズを有する符号化ブロックとして使用される場合、有効符号化率はＲｅｆｆで示し、前記ＢＣＨ符号で使用されたパリティビット数はＮｂｃｈ＿ｐａｒｉｔｙで示すことを特徴とする請求項６６に記載のブロードキャスト／通信システムにおける制御情報を受信する装置。
【請求項７６】
前記臨時パンクチャーリングビット数は、以下の数式に従って決定されることを特徴とする請求項６８に記載のブロードキャスト／通信システムにおける制御情報を受信する装置。
【数３８】
2011514094.tif 000038
ここで、Ｎｐｕｎｃ＿ｔｅｍｐは、前記臨時パンクチャーリングビット数を示し、Ｋｂｃｈは、ＢＣＨブロックの最大入力情報ビット数を示し、Ｋｓｉｇは、前記Ｌ１シグナリング情報のビット数にパッディングビットを加えることにより得られたビット数を示し、
【数３９】
2011514094.tif 000039
は、ｘより小さいか又は同一の最大整数を示す。
【請求項７７】
前記臨時符号語ビット数は、以下の数式に従って決定されることを特徴とする請求項６８に記載のブロードキャスト／通信システムにおける制御情報を受信する装置。
【数４０】
2011514094.tif 000040
ここで、Ｎｐｏｓｔ＿ｔｅｍｐは前記臨時符号語ビット数を示し、Ｋｓｉｇは各符号化ブロックの前記入力情報のビット数を示し、Ｎｂｃｈ＿ｐａｒｉｔｙは前記ＢＣＨブロックの前記パリティビット数を示し、Ｒｅｆｆは各符号化ブロックの前記有効符号化率を示し、Ｎｐｕｎｃ＿ｔｅｍｐは前記臨時パンクチャーリングビット数を示す。
【請求項７８】
前記最終符号語ビット数は、以下の数式に従って計算されることを特徴とする請求項６８に記載のブロードキャスト／通信システムにおける制御情報を受信する装置。
【数４１】
2011514094.tif 000041
ここで、Ｎｐｏｓｔは、前記最終符号語ビット数を示し、Ｎｐｏｓｔ＿ｔｅｍｐは、前記臨時符号語ビット数を示し、ηＭＯＤは、前記変調次数を示し、ＮｆｉｘｅｄＰ２は、Ｌ１シグナリング情報Ｐ２の送信のために使用されるシンボル数を示し、
【数４２】
2011514094.tif 000042
は、ｘより大きいか又は同一の最小整数を示す。
【請求項７９】
前記最終パンクチャーリングビット数は、Ｎｐｕｎｃ＝Ｎｐｕｎｃ＿ｔｅｍｐ−（Ｎｐｏｓｔ−Ｎｐｏｓｔ＿ｔｅｍｐ）の数式に従って計算されることを特徴とする請求項６８に記載のブロードキャスト／通信システムにおける制御情報を受信する装置。
ここで、Ｎｐｕｎｃは、前記最終パンクチャーリングビット数を示し、Ｎｐｕｎｃ＿ｔｅｍｐは、前記臨時パンクチャーリングビット数を示し、Ｎｐｏｓｔは、前記最終符号語ビット数を示し、Ｎｐｏｓｔ＿ｔｅｍｐは、前記臨時符号語ビット数を示す。
【請求項８０】
前記最終符号語ビット数は、以下の数式に従って計算されることを特徴とする請求項６８に記載のブロードキャスト／通信システムにおける制御情報を受信する装置。
【数４３】
2011514094.tif 000043
ここで、Ｎｐｏｓｔは、前記最終符号語ビット数を示し、Ｎｐｏｓｔ＿ｔｅｍｐは、前記臨時符号語ビット数を示し、ηＭＯＤは、前記変調次数を示し、Ｎｐｏｓｔ＿ＦＥＣ＿Ｂｌｏｃｋｓは、前記符号化ブロックの個数を示し、ＮＬ１＿ＴＩ＿ｄｅｐｔｈは、時間インターリービングの深さを示し、
【数４４】
2011514094.tif 000044
は、ｘより大きいか又は同一の最小整数を示す。
【請求項８１】
前記変調次数は、二位相偏移（ＢＰＳＫ）、四位相偏移（ＱＰＳＫ）、１６−アレイ直交振幅変調（１６−ＱＡＭ）、及び６４−ＱＡＭの変調方式に対応するようにそれぞれ１、２、４、及び６の値を有することを特徴とする請求項６６、請求項７１、請求項７８、及び請求項８０のいずれか１項に記載のブロードキャスト／通信システムにおける制御情報を受信する装置。
【請求項８２】
前記符号化ブロックは、ＬＤＰＣ符号を用いて符号化されることを特徴とする請求項６３乃至請求項８０のいずれか１項に記載のブロードキャスト／通信システムにおける制御情報を受信する装置。
【手続補正２】
【補正対象書類名】明細書
【補正対象項目名】発明の名称
【補正方法】変更
【補正の内容】
【発明の名称】ブロードキャスト／通信システムにおける制御情報を送受信する方法及び装置
【手続補正３】
【補正対象書類名】明細書
【補正対象項目名】０００１
【補正方法】変更
【補正の内容】
【０００１】
本発明は、無線通信システムにおける制御情報を符号化し、その制御情報を送受信する方法及び装置に関し、より詳細には、低密度パリティ検査（Ｌｏｗ−Ｄｅｎｓｉｔｙ
Ｐａｒｉｔｙ−Ｃｈｅｃｋ：以下、“ＬＤＰＣ”と称する。）符号を用いるブロードキャスト／通信システムにおける制御情報を送受信する方法及び装置に関する。
【手続補正４】
【補正対象書類名】明細書
【補正対象項目名】００１０
【補正方法】変更
【補正の内容】
【００１０】
本発明は、上記従来の問題点に鑑みてなされたものであって、本発明の目的は、ＬＤＰＣ符号を用いるブロードキャスト／通信システムにおける制御情報を送受信する方法及び装置を提供することにある。
【手続補正５】
【補正対象書類名】明細書
【補正対象項目名】００１３
【補正方法】変更
【補正の内容】
【００１３】
上記目的を達成するためになされた本発明によるブロードキャスト／通信システムにおける制御情報を送信する方法は、ブロードキャスト／通信システムにおける制御情報を送信する方法であって、前記制御情報に含まれるレイヤー１（Ｌ１）シグナリング情報のビット数に基づいて該Ｌ１シグナリング情報が送信される符号化ブロックの個数を決定するステップと、  前記決定された符号化ブロックの個数が複数個である場合、各符号化ブロックの入力情報ビット数を計算するステップと、前記送信される符号化ブロックのパンクチャーリングビット数を決定するステップと、前記計算された入力情報のビット数を含み、前記決定されたパンクチャーリングビット数に基づいてパンクチャーリングされた前記決定された個数の符号化ブロックを生成するステップと、前記生成された１つ又は複数の符号化ブロックを含むフレームを送信するステップと、を有することを特徴とする。
【手続補正６】
【補正対象書類名】明細書
【補正対象項目名】００１４
【補正方法】変更
【補正の内容】
【００１４】
また、上記目的を達成するためになされた本発明によるブロードキャスト／通信システムにおける制御情報を送信する装置は、ブロードキャスト／通信システムにおける制御情報を送信する装置であって、入力情報を符号化ブロックに符号化する符号化部と、前記符号化ブロックを含むフレームを送信する送信部と、前記制御情報に含まれるレイヤー１（Ｌ１）シグナリング情報のビット数に基づいて、該Ｌ１シグナリング情報が送信される符号化ブロックの個数を決定し、前記決定された符号化ブロックの個数が複数個である場合、各符号化ブロックの入力情報ビット数を計算し、前記送信される符号化ブロックのパンクチャーリングビット数を決定し、前記計算された入力情報のビット数を含み、前記決定されたパンクチャーリングビット数に基づいてパンクチャーリングされた前記決定された個数の符号化ブロックを生成するように前記符号化部の動作を制御し、前記生成された１つ又は複数の符号化ブロックを含むフレームを送信するように前記送信部の動作を制御する制御部と、を備えることを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
上記目的を達成するためになされた本発明によるブロードキャスト／通信システムにおける制御情報を受信する方法は、ブロードキャスト／通信システムにおける制御情報を受信する方法であって、レイヤー１（Ｌ１）シグナリング情報のビット数に関する情報を取得するステップと、前記Ｌ１シグナリング情報から分割された符号化ブロックの個数を計算するステップと、各符号化ブロックの入力情報ビット数を計算し、各符号化ブロックのパリティビットの中でパンクチャーリングビット数を計算するステップと、前記ステップでの取得及び計算がなされた情報に基づいて前記受信したフレームで１つ又は複数の符号化ブロックを復号化するステップと、を有することを特徴とする。
【手続補正１０】
【補正対象書類名】明細書
【補正対象項目名】００１８
【補正方法】変更
【補正の内容】
【００１８】
また上記目的を達成するためになされた本発明によるブロードキャスト／通信システムにおける制御情報を受信する装置は、ブロードキャスト／通信システムにおける制御情報を受信する装置であって、レイヤー１（Ｌ１）シグナリング情報を含む制御情報の受信及び復号化を行う受信部と、受信したフレームからレイヤー１（Ｌ１）シグナリング情報のビット数に関する情報を取得し、前記Ｌ１シグナリング情報から分割された符号化ブロックの個数を計算し、各符号化ブロックの入力情報ビット数を計算し、各符号化ブロックのパリティビットのパンクチャーリングビット数を計算し、前記ステップでの取得及び計算がなされた情報に基づいて前記受信した１つ又は複数の符号化ブロックを復号化するように前記受信部の動作を制御する制御部と、を備えることを特徴とする。
【手続補正１１】
【補正対象書類名】明細書
【補正対象項目名】００１９
【補正方法】変更
【補正の内容】
【００１９】
本発明は、制御情報を複数のＬＤＰＣブロックに分割し、符号化性能が各ＬＤＰＣブロックの入力情報ビットの個数に基づいて左右される特性を考慮してＬＤＰＣ符号化を実行することにより、各ＬＤＰＣブロックの符号化性能を一定に保持することができるという長所がある。
【手続補正１２】
【補正対象書類名】明細書
【補正対象項目名】００３２
【補正方法】変更
【補正の内容】
【００３２】
しかし、１つのＬＤＰＣブロックがＬ１ポストシグナリング情報を構成する複数のＬ１情報を１つにまとめてＬＤＰＣ符号化することにより生成される場合、このＬＤＰＣブロックの入力ビット数が可変する可能性があるため、符号化された入力ビット数も変更される可能性がある。その結果、符号化性能が変わる問題点が発生する。ここで、このＬ１プリシグナリング情報及びＬ１ポストシグナリング情報は、無線通信システムによってその情報構成が異なることがあり、符号化の実行にあたり、ＬＤＰＣ符号化だけではなく他の符号化方法を適用することもできる。
【手続補正１３】
【補正対象書類名】明細書
【補正対象項目名】００８３
【補正方法】変更
【補正の内容】
【００８３】
【数９】
2011514094.tif 000045
【手続補正１４】
【補正対象書類名】明細書
【補正対象項目名】００８４
【補正方法】変更
【補正の内容】
【００８４】
ここで、“Ｌ１＿Ｔ１＿ｄｅｐｔｈ”＝１０の場合、ＮＬ１_Ｔ１_ｄｅｐｔｈの値は４であり、“Ｌ１＿Ｔ１＿ｄｅｐｔｈ”＝１１の場合、ＮＬ１_Ｔ１_ｄｅｐｔｈの値は８である。
【手続補正１５】
【補正対象書類名】明細書
【補正対象項目名】００９５
【補正方法】変更
【補正の内容】
【００９５】
【表２】
2011514094.tif 000046